(57)【要約】【課題】窓ガラスの曇り易さが急に変化した場合であっても、窓ガラスに曇りが発生し難くする。【解決手段】制御装置は、暖房時に車室内の空気と車室外の空気を導入する場合に、加熱用熱交換器への供給熱量に基づいて外気導入量を変更するように構成されている。【選択図】図３
2018144814.tif 000002
【特許請求の範囲】
【請求項１】
車室内の空気の循環量と、車室外の空気の導入量とを変更するインテーク部と、
上記インテーク部から導入された空気を加熱する加熱器を有する温度調節部と、
上記温度調節部で温度調節された調和空気を車室の各部に供給する吹出方向切替部と、
車両の窓ガラスの曇り易さを検出し、この検出結果に基づいて窓ガラスが曇り易い場合には外気導入量を増やす一方、窓ガラスが曇り難い場合には内気循環量を増やすように構成された制御装置とを備えた車両用空調装置において、
上記加熱器にエンジン排熱によって供給される供給熱量を検出する供給熱量検出手段を備え、
上記制御装置は、暖房時に車室内の空気と車室外の空気を上記温度調節部に導入する場合に、上記供給熱量検出手段で検出された上記加熱器への供給熱量に基づいて外気導入量を補正するように構成されていることを特徴とする車両用空調装置。
【発明の詳細な説明】
【技術分野】
【０００１】
本発明は、例えば自動車等に搭載される車両用空調装置に関するものである。
【背景技術】
【０００２】
従来より、この種の車両用空調装置は、車室内の空気（内気）と車室外の空気（外気）を選択して空調ケーシングに導入することができるように構成されている。また、導入された空気は熱交換器等によって温度調節された後、空調ケーシングに形成されたデフロスタ吹出口、ベント吹出口、ヒート吹出口の内、選択された吹出口から車室に吹き出すようになっている。
【０００３】
特許文献１、２の車両用空調装置は、内気を導入して温度調節した後、車室内に供給する内気循環モードと、外気を導入して温度調節した後、車室内に供給する外気導入モードと、内気及び外気の両方を導入して温度調節した後、車室内に供給する内外気混入モードとの３つのインテークモードに切り替えることができるように構成されている。そして、車室内外の状態（車室内温度、外気温度、日射量）と乗員が設定した設定温度とに基づいてインテークモード、吹出モード、風量、吹出温度等を自動で設定するオートエアコン制御が行われる。
【０００４】
特許文献１では、内外気混入モードにおいて外気と内気の導入割合を変更することができるとともに、湿度センサで測定した車室内湿度が２０％以下ならば内気循環モードとし、５０％ならば外気導入モードとしている。
【０００５】
特許文献２では、窓ガラスが曇り易いか否かを判定する判定手段を設け、窓ガラスが曇り難いと判定手段が判定すると、少なくとも内気を循環させ、窓ガラスが曇り易いと判定手段が判定すると、外気導入モードとして窓ガラスに曇りが生じるのを防止するようにしている。さらに、内外気混入モードにおける内気循環量を段階的に増加させる制御モード、内気及び外気の比率を持続する制御モード、及び内外気混入モードにおける外気の導入量を段階的に増加させる制御モードを備えており、窓ガラスの曇り易さに基づいて制御モードを選択するようにしている。窓ガラスが曇らない範囲で内気循環量を高めることで換気量が減少して暖房に要するエネルギ消費量を少なくすることができる利点がある。
【先行技術文献】
【特許文献】
【０００６】
【特許文献１】特公平１−２７８９１号公報
【特許文献２】特許第５１５２３５５号公報
【発明の概要】
【発明が解決しようとする課題】
【０００７】
ところで、車両の一般的な使用状況を想定すると、走行時には走行風が窓ガラスに当たることによって窓ガラスの温度が低下し、停止すると車室内の熱によって窓ガラスが暖められて窓ガラスの温度が上昇する。特に、停止状態から走行状態になると車速にもよるが窓ガラスの温度が急に低下して曇り易い状態となる。その他にも環境的な要因によって窓ガラスの曇り易さが急に変化することは十分に考えられる。
【０００８】
しかしながら、特許文献１、２では、内外気混入モードにおける内気循環量及び外気導入量を、窓ガラスの曇り易さを予測して制御しているので、上述のように窓ガラスの曇り易さが急に変化した場合に対応できず、窓ガラスが曇ってしまう恐れがある。
【０００９】
本発明は、かかる点に鑑みてなされたものであり、その目的とするところは、暖房に要するエネルギ消費量を減らす必要のないときには内気循環量を減らすことで、窓ガラスの曇り易さが急に変化した場合であっても、窓ガラスに曇りが発生し難くすることにある。
【課題を解決するための手段】
【００１０】
上記目的を達成するために、第１の発明は、
車室内の空気の循環量と、車室外の空気の導入量とを変更するインテーク部と、
上記インテーク部から導入された空気を加熱する加熱器を有する温度調節部と、
上記温度調節部で温度調節された調和空気を車室の各部に供給する吹出方向切替部と、
車両の窓ガラスの曇り易さを検出し、この検出結果に基づいて窓ガラスが曇り易い場合には外気導入量を増やす一方、窓ガラスが曇り難い場合には内気循環量を増やすように構成された制御装置とを備えた車両用空調装置において、
上記加熱器にエンジン排熱によって供給される供給熱量を検出する供給熱量検出手段を備え、
上記制御装置は、暖房時に車室内の空気と車室外の空気を上記温度調節部に導入する場合に、上記供給熱量検出手段で検出された上記加熱器への供給熱量に基づいて外気導入量を補正するように構成されていることを特徴とする。
【００１１】
この構成によれば、暖房時に車室内の空気を温度調節部に導入して温度調節するようにしたので、換気量が減少して暖房に要するエネルギ消費量が少なくて済む。そして、供給熱量検出手段で検出された加熱器への供給熱量に基づいて外気導入量を変更するようにしているので、例えば、加熱器への供給熱量が多い場合に、エンジン排熱が多く、暖房エネルギを減らす要求度合いが減るため、外気導入量を増やすようにすることが可能になる。このようにした場合、窓ガラスの晴れ性に有利な外気導入量が増えることで、環境的な要因によって窓ガラスの曇り易さが急に変化しても窓ガラスに曇りが発生し難くなる。
【発明の効果】
【００１２】
第１の発明によれば、暖房時に車室内の空気と車室外の空気を導入する場合に、加熱器への供給熱量に基づいて外気導入量を補正するようにしたので、環境的な要因によって窓ガラスの曇り易さが急に変化した場合であっても、暖房エネルギ削減の要求度合いに応じて窓ガラスに曇りが発生し難くすることができる。
【図面の簡単な説明】
【００１３】
【図１】実施形態に係る車両用空調装置の概略構成図である。
【図２】車両用空調装置のブロック図である。
【図３】制御装置による制御内容を示すフローチャートである。
【図４】第１インテークドア補正開度を算出するグラフである。
【図５】第２インテークドア補正開度を算出するグラフである。
【発明を実施するための形態】
【００１４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１５】
図１は、本発明の実施形態に係る車両用空調装置１の概略構成図である。この車両用空調装置１は、例えば自動車等の車両に搭載されるものであり、車室内の空気（内気）と車室外の空気（外気）との一方または両方を導入して温度調節した後、車室の各部に供給するように構成されている。車両の車室内には、図示しないが、運転席及び助手席からなる前席と、前席の後方に配設される後席とが設けられている。
【００１６】
車両用空調装置１は、空調ケーシング１０と、冷凍サイクルＨと、制御装置（図２に示す）３０とを備えている。空調ケーシング１０は、例えば車室の前端部に配設されたインストルメントパネル（図示せず）の内部に収容されている。空調ケーシング１０は、空気流れ方向上流側から下流側に向かって順に、インテーク部１１と、温度調節部１２と、吹出方向切替部１３とを備えている。インテーク部１１には、外気導入口１１ａと内気導入口１１ｂとが形成されている。外気導入口１１ａは、例えば図示しないインテークダクトを介して車室外と連通しており、外気を導入するようになっている。内気導入口１１ｂは、インストルメントパネルの内部で開口しており、内気を導入するようになっている。
【００１７】
インテーク部１１の内部には、外気導入口１１ａと内気導入口１１ｂを開閉するインテークドア１１ｃが配設されている。インテークドア１１ｃは、例えば板状の部材で構成することができ、インテーク部１１の側壁に対して回動可能に支持されている。インテークドア１１ｃは、内外気切替アクチュエータ１１ｄによって任意の回動角度となるように駆動される。これによりインテークモードが切り替えられる。内外気切替アクチュエータ１１ｄは、制御装置３０によって制御される。
【００１８】
例えば、図１に実線で示すように外気導入口１１ａを全閉にし、かつ、内気導入口１１ｂを全開にするまでインテークドア１１ｃを回動させると、インテークモードが内気循環モードとなる。このときのインテークドア１１ｃの開度は１００％とする。一方、図１に仮想線で示すように外気導入口１１ａを全開にし、かつ、内気導入口１１ｂを全閉にするまでインテークドア１１ｃを回動させると、インテークモードが外気導入モードとなる。このときのインテークドア１１ｃの開度は０％とする。そして、インテークドア１１ｃの開度が１％〜９９％の間にあるときには、外気導入口１１ａと内気導入口１１ｂの両方が開状態となり、内気と外気の両方が温度調節部１２に導入される。このインテークモードが内外気混入モードである。内外気混入モード時には、インテークドア１１ｃの開度によって内気と外気の導入比率、即ち、内気循環量と外気導入量とが変更される。インテークモードの切替制御の詳細は後述する。
【００１９】
インテーク部１１には、送風機１５が設けられている。送風機１５は、ファン１５ａと、ファン１５ａを駆動するブロアモータ１５ｂとを備えている。ファン１５ａが回転することによって内気及び外気の少なくとも一方がインテーク部１１に導入された後、温度調節部１２に送風される。ブロアモータ１５ｂは、印加される電圧を変更することで単位時間当たりの回転数を調整することができるように構成されている。このブロアモータ１５ｂの回転数によって送風量が変化するようになっている。ブロアモータ１５ｂは、制御装置３０によって制御されるので、制御装置３０は、ブロアモータ１５ｂへの印加電圧に基づいて、調和空気の車室内への吹出風量を間接的に得ることができる。
【００２０】
温度調節部１２は、インテーク部１１から導入された空気の温度調節を行うための部分である。温度調節部１２の内部には、冷却用熱交換器（冷却器）１６と加熱用熱交換器（加熱器）１７とエアミックスドア１８とが配設されている。すなわち、温度調節部１２の内部には、空気流れ方向上流側に冷風通路Ｒ１が形成され、この冷風通路Ｒ１に冷却用熱交換器１６が収容されている。また、冷風通路Ｒ１の下流側は温風通路Ｒ２とバイパス通路Ｒ３とに分岐しており、温風通路Ｒ２に加熱用熱交換器１７が収容されている。
【００２１】
冷却用熱交換器１６は、冷凍サイクルＨの冷媒蒸発器で構成されている。冷凍サイクルＨは、従来から車両用空調装置に用いられているものであり、冷却用熱交換器１６の他に、冷媒圧縮機２、冷媒凝縮器３及び膨張弁４を備えていて、これらが冷媒配管によって接続されて冷凍サイクルを構成している。冷媒圧縮機２は、電動モータで駆動されるものであってもよいし、車両のエンジンで駆動されるものであってもよい。
【００２２】
また、加熱用熱交換器１７は、例えばエンジン排熱によって加温されたエンジン冷却水が供給されるヒータコア等で構成することができる。また、電気式ヒータを補助熱源として付加することもできる。
【００２３】
この実施形態では、加熱用熱交換器１７がヒータコアである場合について説明する。加熱用熱交換器１７には、図示しないが、車両に搭載されているエンジンのウォータジャケットに連通するヒータ配管が接続されており、エンジンのウォータポンプの動作によってエンジン冷却水が循環するようになっている。
【００２４】
エアミックスドア１８は、冷却用熱交換器１６と加熱用熱交換器１７の間に配設されており、温風通路Ｒ２の上流端とバイパス通路Ｒ３の上流端とを開閉するものである。エアミックスドア１８は、例えば板状の部材で構成することができ、温度調節部１２の側壁に対して回動可能に支持されている。エアミックスドア１８は、エアミックスアクチュエータ１８ａによって任意の回動角度となるように駆動される。エアミックスアクチュエータ１８ａは、制御装置３０によって制御される。
【００２５】
エアミックスドア１８が温風通路Ｒ２の上流端を全開にし、かつ、バイパス通路Ｒ３の上流端を全閉にすると、冷風通路Ｒ１で生成された冷風の全量が温風通路Ｒ２に流入して加熱されるので、吹出方向切替部１３には温風が流入する。一方、エアミックスドア１８が温風通路Ｒ２の上流端を全閉にし、かつ、バイパス通路Ｒ３の上流端を全開にすると、冷風通路Ｒ１で生成された冷風の全量がバイパス通路Ｒ３に流入するので、吹出方向切替部１３には冷風が流入する。エアミックスドア１８が温風通路Ｒ２の上流端及びバイパス通路Ｒ３の上流端を開く回動位置にあるときには、冷風及び温風が混合した状態で吹出方向切替部１３に流入することになる。エアミックスドア１８の回動位置によって吹出方向切替部１３に流入する冷風量と温風量との混合割合が調整されて所望温度の調和空気が生成される。
【００２６】
制御装置３０には、エアミックスドア１８の開度を検出するエアミックスドア開度検出部３０ａが設けられている。エアミックスドア１８の開度を検出することで、温風の割合が多いか少ないかを把握することができる。温風の割合が多い場合には、加熱用熱交換器１７から奪う熱量が多くなるので、加熱用熱交換器１７が空気を加熱することによって消費する消費熱量が多くなる。一方、温風の割合が少ない場合には、加熱用熱交換器１７から奪う熱量が少なくなるので、加熱用熱交換器１７が空気を加熱することによって消費する消費熱量が少なくなる。つまり、エアミックスドア１８の開度を検出すれば、加熱用熱交換器１７が空気を加熱することによって消費する消費熱量を間接的に得ることが可能になる。エアミックスドア開度検出部３０ａは、本発明の消費熱量検出手段である。
【００２７】
尚、エアミックスドア１８は、上記した板状のドアに限られるものではなく、冷風量と温風量との混合割合を調整することができる構成であればその構成はどのような構成であってもよい。例えばロータリドアやフィルムドア等であってもよい。また、温度調節の構成は上記した構成でなくてもよく、冷風量と温風量とを変更することができる構成であればよい。
【００２８】
吹出方向切替部１３は、温度調節部１２で温度調節された調和空気を車室の各部に供給するための部分である。吹出方向切替部１３には、デフロスタ吹出口２１と、ベント吹出口２２と、ヒート吹出口２３とが形成されている。デフロスタ吹出口２１は、インストルメントパネルに形成されたデフロスタノズル２４に接続されている。このデフロスタ吹出口２１は、フロントウインドガラス（窓ガラス）Ｇの車室内面に調和空気を供給するためのものである。デフロスタ吹出口２１の内部には、デフロスタ吹出口２１を開閉するためのデフロスタドア２１ａが設けられている。
【００２９】
ベント吹出口２２は、インストルメントパネルに形成されたベントノズル２５に接続されている。ベントノズル２５は、前席の乗員の上半身に調和空気を供給するためのものであり、インストルメントパネルの車幅方向中央部と、左右両側にそれぞれ設けられている。ベント吹出口２２の内部には、ベント吹出口２２を開閉するためのベントドア２２ａが設けられている。
【００３０】
ヒート吹出口２３は、乗員の足元近傍まで延びるヒートダクト２６に接続されている。ヒートダクト２６は、乗員の足元に調和空気を供給するためのものである。ヒート吹出口２３の内部には、ヒート吹出口２３を開閉するためのヒートドア２３ａが設けられている。
【００３１】
デフロスタドア２１ａ、ベントドア２２ａ及びヒートドア２３ａは吹出方向切替アクチュエータ２７によって駆動されて開閉動作する。吹出方向切替アクチュエータ２は、制御装置３０によって制御される。デフロスタドア２１ａ、ベントドア２２ａ及びヒートドア２３ａは、図示しないがリンクを介して連動するようになっており、例えば、デフロスタドア２１ａが開状態で、ベントドア２２ａ及びヒートドア２３ａが閉状態となるデフロスタモード、デフロスタドア２１ａ及びヒートドア２３ａが閉状態で、ベントドア２２ａが開状態となるベントモード、デフロスタドア２１ａ及びベントドア２２ａが閉状態で、ヒートドア２３ａが開状態となるヒートモード、デフロスタドア２１ａ及びベントドア２２ａが開状態で、ヒートドア２３ａが閉状態となるデフベントモード、デフロスタドア２１ａ及びヒートドア２３ａが開状態で、ベントドア２２ａが閉状態となるバイレベルモード等の複数の吹出モードの内、任意の吹出モードに切り替えられる。
【００３２】
図２に示すように、車両用空調装置１には、外気温度センサ３１、内気温度センサ３２、日射量センサ３３、冷却水温センサ３４、エバポレータセンサ３５、フロントウインド温度センサ３６、フロントウインド近傍温度センサ３７、フロントウインド近傍湿度センサ３８、操作スイッチ３９、乗員センサ４０及び車速センサ４１を備えている。これらセンサ３１〜３８、４０、４１は制御装置３０に接続され、制御装置３０へ信号を出力している。また、操作スイッチ３９も制御装置３０に接続されており、乗員による操作状態を制御装置３０が検出できるようになっている。
【００３３】
外気温度センサ３１は、例えば車室外において車両前部や側部等に配設されており、車両の周囲の空気温度（外気温度）を検出するものである。内気温度センサ３２は、例えば車室内においてインストルメントパネルの近傍等に配設されており、車室内の空気温度（内気温度）を検出するものである。日射量センサ３３は、例えば車室内においてインストルメントパネルの近傍等に配設されており、車室に照射される日射量を検出するものである。
【００３４】
内気温度センサ３２、外気温度センサ３１及び日射量センサ３３は、乗員が感じる冷熱に関連する情報を検出するものである。すなわち、内気温度センサ３２から出力される内気温度は、乗員の雰囲気温度と略等しい温度であり、内気温度が高いということは乗員が暖かいと感じ、内気温度が低いということは乗員が寒いと感じる。また、外気温度センサ３１から出力される外気温度が高いと乗員が暖かいと感じ、外気温度が低いと乗員が寒いと感じる。さらに、日射量センサ３３から出力される日射量が多いと乗員が暖かいと感じ、日射量が少ないと乗員が寒いと感じる。
【００３５】
冷却水温センサ３４は、車両に搭載されているエンジンの冷却水の温度を検出するものであり、この冷却水温センサ３４により、加熱用熱交換器１７に流入するエンジンの冷却水の温度を推定することができるので、加熱用熱交換器１７の温度状態（加熱用熱交換器１７の表面温度）を検出することができる。
【００３６】
エンジンの冷却水は、空気を加熱するための熱量を加熱用熱交換器１７に供給する熱搬送媒体である。エンジンの冷却水の温度により、加熱用熱交換器１７に供給される単位時間当たりの熱量（供給熱量）が変化することになるので、本発明の供給熱量検出手段は冷却水温センサ（検出センサ）３４で構成されることになる。エンジンの冷却水の温度は、例えば渋滞中のように走行風が少ない状態では上昇し易くなり、長い下り坂等では低下し易くなる。
【００３７】
尚、加熱用熱交換器１７を冷媒凝縮器で構成する場合には、例えば、冷媒の温度状態や圧力状態等を検出するセンサによって供給熱量検出手段を構成することができる。
【００３８】
エバポレータセンサ３５は、冷却用熱交換器１６の空気流れ方向下流側に配設されており、冷却用熱交換器１６の温度状態（冷却用熱交換器１６の表面温度）を検出する蒸発器温度検出手段である。
【００３９】
フロントウインド温度センサ３６は、フロントウインドガラスＧの車室内面に配設されており、フロントウインドガラスＧの車室内面の温度を検出するものである。フロントウインド近傍温度センサ３７は、フロントウインドガラスＧの車室内面から離れ、かつ、該内面近傍に配設されており、フロントウインドガラスＧの車室内面近傍の温度を検出するものである。フロントウインド近傍湿度センサ３８は、フロントウインドガラスＧの車室内面から離れ、かつ、該内面近傍に配設されており、フロントウインドガラスＧの車室内面近傍の湿度を検出するものである。
【００４０】
操作スイッチ３９は、例えばインストルメントパネル等に配設されて制御装置３０に接続されており、例えば、空調装置１のＯＮ／ＯＦＦの切替スイッチ、冷凍サイクルＨのＯＮ／ＯＦＦを切り替えるためのエアコンスイッチ５（図１及び２に示す）、送風量を増減させる風量切替スイッチ（図示せず）、車室の温度を設定する温度設定スイッチ（図示せず）、内気循環、外気導入及び内外気混入モードを切り替える内外気切替スイッチ（図示せず）、オートエアコン制御とするか否かを選択するオートスイッチ（図示せず）、吹出方向を切り替える吹出モード切替スイッチ（図示せず）、デフロスタスイッチ（図示せず）等で構成されている。
【００４１】
エアコンスイッチ５をＯＮにすると、冷媒圧縮機２が作動して冷凍サイクルＨが作動状態となり、ＯＦＦにすると冷媒圧縮機２が停止して冷凍サイクルＨが非作動状態となる。制御装置３０には、冷凍サイクルＨが作動中であるか否か（作動状態）を検出するための冷凍サイクル作動状態検出部（冷凍サイクル作動状態検出手段）３０ｂが設けられている。冷凍サイクル作動状態検出部３０ｂは、エアコンスイッチ５のＯＮ／ＯＦＦを検出することによって冷凍サイクルＨが作動中であるか否かを検出するようにしている。
【００４２】
乗員センサ４０は、前席に乗員が着座しているか否かを検出するとともに、後席に乗員が着座しているか否かも検出することができるものである。具体的には、例えば前席及び後席のシートクッション部にそれぞれ感圧センサを内蔵しておき、この感圧センサによって乗員が着座しているか否かを検出することができる。また、前席及び後席のシートベルトが装着状態にあるか否かを検出するセンサが一般の車両に設けられているので、このセンサを利用してシートベルトが装着状態にあれば乗員が着座していることを検出できる。車速センサ４１は、車両の速度を検出することができるものであり、従来から周知のセンサ類を使用することができる。
【００４３】
制御装置３０は、上記センサ３１〜３８、４０、４１から出力される信号（出力値）と、操作スイッチ３９の操作状態とに基づいて、内外気切替アクチュエータ１１ｄ、エアミックスアクチュエータ１８ａ、吹出方向切替アクチュエータ２７及びブロアモータ１５ｂを制御する。すなわち、操作スイッチ３９のオートスイッチによってオートエアコン制御が選択されて冷凍サイクルＨがＯＮにされた場合には、車室外の温度、車室内の温度、日射量、エンジン冷却水温度、冷却用熱交換器１６の表面温度、設定温度等に基づいて、車室内に供給する調和空気の目標吹出温度を決定するとともに、この目標吹出温度となるようにエアミックスドア１８の開度を演算し、エアミックスドア１８がこの開度となるようにエアミックスアクチュエータ１８ａを制御してエアミックスドア１８を回動させる。これにより、調和空気の温度が目標吹出温度となる。冷凍サイクルＨがＯＮにされている場合には、冷却用熱交換器１６の表面温度が下がって空気が除湿される。
【００４４】
尚、冬場のように気温が低い場合には、冷凍サイクルＨが乗員によって非作動状態とされることがある。この場合であっても、車室内に供給する調和空気の目標吹出温度を決定して目標吹出温度となるようにエアミックスドア１８の開度を演算し、エアミックスアクチュエータ１８ａを制御してエアミックスドア１８を回動させるが、冷却用熱交換器１６の表面温度が下がらないので、除湿効果は期待できない。
【００４５】
また、制御装置３０は、冷房時には吹出モードが主にベントモードとなるように吹出方向切替アクチュエータ２７を制御し、暖房時には吹出モードが主にヒートモードとなるように吹出方向切替アクチュエータ２７を制御する。また、冷房時や暖房時であっても弱めの場合には、バイレベルモードやデフベントモードとなるように吹出方向切替アクチュエータ２７を制御する。さらに、操作スイッチ３９が有するデフロスタスイッチがＯＮにされると、吹出モードがデフロスタモードとなるように吹出方向切替アクチュエータ２７を制御する。
【００４６】
例えば冬季に長時間放置された車両で暖房を行う場合や、夏季で長時間放置された車両で冷房を行う場合には、目標吹出温度と内気温度との差が大きくなる。このような場合には、制御装置３０は、風量が多くなるようにブロアモータ１５ｂを制御するが、乗員が風量切替スイッチを操作して好みの風量にすることもできるようになっている。また、オートエアコン制御では、目標吹出温度と内気温度との差が小さくなるにつれて風量が少なくなるようにブロアモータ１５ｂを制御する。ブロアモータ１５ｂの制御は印加電圧の変更によって行われるが、これに限られるものではなく、ブロアモータ１５ｂの回転数を変更できればよい。
【００４７】
制御装置３０によるブロアモータ１５ｂの制御及び吹出モードの切替制御によって乗員の上半身への送風量を検出することができる。すなわち、吹出モードがベントモードである場合には、主に乗員の上半身へ調和空気が送風されることになり、このベントモード時におけるブロアモータ１５ｂへの印加電圧を検出することで乗員の上半身への送風量を検出することができる。また、ヒートモード時には、ベントモード時に比べて全体的に乗員の上半身への送風量が少なくなり、このことも制御装置３０によって検出できる。
【００４８】
また、制御装置３０は、図３に示すフローチャートの手順に従って内外気切替アクチュエータ１１ｄを制御する。この制御は、空調装置１がＯＮとされて制御装置３０が暖房を行う必要があると判断した場合に、所定のタイミングで繰り返されている。尚、冷房時には、基本的には乗員が選択したモードとなるように内外気切替アクチュエータ１１ｄを制御する。
【００４９】
スタート後のステップＳＡ１では、各センサ３１〜３８、４０、４１の出力値を読み込むとともに、操作スイッチ３９の操作状態を読み込む。ステップＳＡ１に続くステップＳＡ２では、上述のようにして、吹出モード、風量（ブロアモータ１５ｂへの印加電圧）、エアミックスドア１８の開度を決定するとともに、操作スイッチ３９の内外気切替スイッチの操作状態から目標インテークモードを決定する。目標インテークモードは、後述する制御手順の中で使用されるものであり、インテークモードが目標インテークモードにただちに切り替えられるわけではない。内外気切替スイッチが外気導入モードを選択している場合には、目標インテークモードを外気導入モードとし、内気循環モードを選択している場合には、目標インテークモードを内気循環モードとし、内外気混入モードを選択している場合には、目標インテークモードを内外気混入モードとする。
【００５０】
そして、ステップＳＡ３では、周知の手法に従って目標露点温度と露点温度を演算する。
【００５１】
目標露点温度は、フロントウインド温度センサ３６から出力されるフロントウインドガラスＧの車室内面の温度よりも低い温度とする。例えば、フロントウインドガラスＧの車室内面の温度が１０℃の場合、それよりも２〜３℃程度低い温度を目標露点温度とする。また、フロントウインド近傍温度センサ３７から出力されるフロントウインドガラスＧの車室内面近傍の温度と、フロントウインド近傍湿度センサ３８から出力されるフロントウインドガラスＧの車室内面近傍の湿度とに基づいて露点温度を得る。
【００５２】
ステップＳＡ４では、目標インテークモードが内気循環モードであるか否かを判定する。ステップＳＡ４でＹＥＳと判定されて目標インテークモードが内気循環モードである場合には、乗員が外気を導入したくない状況であると考えられるので、ステップＳＡ５に進んで目標インテークモードを内気循環モードにし、ステップＳＡ１３で内外気切替アクチュエータ１１ｄに制御信号を出力する。内外気切替アクチュエータ１１ｄは、内気循環モードとなるようにインテークドア１１ｃを回動させる。これにより、車室内に外気が導入されることはない。
【００５３】
ステップＳＡ４でＮＯと判定されて目標インテークモードが外気導入モードまたは内外気混入モードである場合には、ステップＳＡ６に進む。ステップＳＡ６では、冷凍サイクルＨが作動状態にあるか否か、即ち、エアコンスイッチがＯＮとされているか否かを検出して判定する。このステップＳＡ６では冷凍サイクル作動状態検出部３０ｂから出力される信号に基づいて判定される。
【００５４】
ステップＳＡ６でＹＥＳと判定されて冷凍サイクルＨが作動状態にある場合には、ステップＳＡ７に進む。ステップＳＡ７では、エバポレータセンサ３５で検出されたエバポレータ温度と、内気温度センサ３２で検出された内気温度と、外気温度センサ３１で検出された外気温度とを使用して判定を行う。エバポレータ温度から内気温度を引いた値が、エバポレータ温度から外気温度を引いた値以上であるか否かを判定する。
【００５５】
ステップＳＡ７でＹＥＳと判定されて、エバポレータ温度から内気温度を引いた値が、エバポレータ温度から外気温度を引いた値以上である場合には、ステップＳＡ８に進んで目標インテークモードを外気導入モードにし、ステップＳＡ１３で内外気切替アクチュエータ１１ｄに制御信号を出力する。内外気切替アクチュエータ１１ｄは、外気導入モードとなるようにインテークドア１１ｃを回動させる。これにより、冷却用熱交換器１６の温度状態に近い空気をインテーク部１１に導入することになるので、冷却用熱交換器１６による冷却負荷が軽減されてエネルギ消費量が少なくなる。
【００５６】
一方、ステップＳＡ７でＮＯと判定されて、エバポレータ温度から内気温度を引いた値が、エバポレータ温度から外気温度を引いた値未満である場合には、ステップＳＡ９に進む。
【００５７】
また、ステップＳＡ６でＮＯと判定されて冷凍サイクルＨが作動状態にない場合には、冷却用熱交換器１６による冷却負荷は関係ないので、ステップＳＡ７の判定を飛ばしてステップＳＡ９に進む。
【００５８】
ステップＳＡ９では、ステップＳＡ３で演算した目標露点温度と露点温度からインテークドア１１ｃの目標開度（ＩＮＴｔｒｇ）を演算する。露点温度が目標露点温度よりも高い場合には、外気導入量を増やすようにインテークドア１１ｃの目標開度（ＩＮＴｔｒｇ）を演算し、露点温度が目標露点温度よりも低い場合には、内気循環量を増やすようにインテークドア１１ｃの目標開度（ＩＮＴｔｒｇ）を演算する。露点温度が目標露点温度よりも高い場合に、その差が大きくなるほど、外気導入量を増やし、また、露点温度が目標露点温度よりも低い場合に、その差が大きくなるほど、内気循環量を増やす。つまり、制御装置３０は、フロントウインドガラスＧの曇り易さを検出し、基本的には、この検出結果に基づいてフロントウインドガラスＧが曇り易い場合には外気導入量を増やす一方、窓ガラスが曇り難い場合には内気循環量を増やすように構成されている。
【００５９】
続くステップＳＡ１０では、冷却水温センサ３４で検出されたエンジン冷却水温から第１インテークドア補正開度（ＩＮＴｃ１）を演算する。第１インテークドア補正開度（ＩＮＴｃ１）は、図４に示すグラフに基づいて演算される。エンジン冷却水温が高ければ高いほど第１インテークドア補正開度（ＩＮＴｃ１）が小さくなる。第１インテークドア補正開度（ＩＮＴｃ１）が小さくなると外気導入量が増える。すなわち、エンジン冷却水温が高いということは加熱用熱交換器１６に供給されている供給熱量が多いということであり、この場合に外気導入量が増えることで、加熱用熱交換器１６によって外気が十分に加熱されるので、暖房中に乗員に違和感を与えることはない。しかも、フロントウインドガラスＧの晴れ性に有利な外気導入量が増えることで、環境的な要因によってフロントウインドガラスＧの曇り易さが急に変化してもフロントウインドガラスＧに曇りが発生し難くなるようなインテークドア開度となる。
【００６０】
続くステップＳＡ１１では、エアミックスドア開度検出部３０ａで検出されたエアミックスドア１８の開度から第２インテークドア補正開度（ＩＮＴｃ２）を演算する。第２インテークドア補正開度（ＩＮＴｃ２）は、図５に示すグラフに基づいて演算される。エアミックスドア１８の開度がＣＯＬＤ側、温風量の割合が少なくなる側へ行くほど、第２インテークドア補正開度（ＩＮＴｃ２）が小さくなる一方、エアミックスドア１８の開度がＨＯＴ側、温風量の割合が多くなる側へ行くほど、第２インテークドア補正開度（ＩＮＴｃ２）が大きくなる。第２インテークドア補正開度（ＩＮＴｃ２）が小さくなると外気導入量が増える。すなわち、温風量の割合が少なくなると加熱用熱交換器１７での消費熱量が少なくなるということであり、この場合に外気導入量が増えることで、加熱用熱交換器１６によって外気が十分に加熱されるので、暖房中の乗員に違和感を与えることはない。しかも、フロントウインドガラスＧの晴れ性に有利な外気導入量が増えることで、環境的な要因によってフロントウインドガラスＧの曇り易さが急に変化してもフロントウインドガラスＧに曇りが発生し難くなるようなインテークドア開度となる。
【００６１】
続くステップＳＡ１２では、インテークモードを内外気混入モードとした上で、インテークドア１１ｃの目標開度（ＩＮＴｔｒｇ）、第１インテークドア補正開度（ＩＮＴｃ１）及び第２インテークドア補正開度（ＩＮＴｃ２）の内、最も小さい開度（最も外気導入量が多い開度）をインテーク開度として選択した後、ステップＳＡ１３に進んで内外気切替アクチュエータ１１ｄに制御信号を出力する。内外気切替アクチュエータ１１ｄは、ステップＳＡ１２で選択した開度となるようにインテークドア１１ｃを回動させる。これにより外気導入量が多くなるので、フロントウインドガラスＧの曇りを抑制することが可能になる。
【００６２】
以上説明したように、この実施形態に係る車両用空調装置１によれば、暖房時に車室内の空気を温度調節部１３に導入して温度調節するようにしたので、換気量が減少して暖房に要するエネルギ消費量が少なくて済む。そして、加熱用熱交換器１７への供給熱量が多い場合に外気導入量を増やすようにしている。これにより、供給熱量が多い加熱用熱交換器１７によって外気が十分に加熱されるので、暖房中の乗員に違和感を与えることはない。しかも、フロントウインドガラスＧの晴れ性に有利な外気導入量が増えることで、環境的な要因によってフロントウインドガラスＧの曇り易さが急に変化してもフロントウインドガラスＧに曇りが発生し難くなる。
【００６３】
また、加熱用熱交換器１６の消費熱量が少ない場合に外気導入量を増やすようにしている。これにより、消費熱量が少ない加熱用熱交換器１６によって外気が十分に加熱されるので、暖房中の乗員に違和感を与えることはない。しかも、フロントウインドガラスＧの晴れ性に有利な外気導入量が増えることで、環境的な要因によってフロントウインドガラスＧの曇り易さが急に変化してもフロントウインドガラスＧに曇りが発生し難くなる。
【００６４】
上記実施形態では、冷却水温センサ３４で検出されたエンジン冷却水温から第１インテークドア補正開度（ＩＮＴｃ１）を演算し、エアミックスドア開度検出部３０ａで検出されたエアミックスドア１８の開度から第２インテークドア補正開度（ＩＮＴｃ２）を演算するようにしているが、第１インテークドア補正開度（ＩＮＴｃ１）と、第２インテークドア補正開度（ＩＮＴｃ２）との内、一方の補正開度のみを演算するようにしてもよい。この場合、ステップＳＡ１２に相当するステップにおいて、上記演算した補正開度と目標開度（ＩＮＴｔｒｇ）とを比較して開度が小さい方を選択すればよい。
【００６５】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６６】
以上説明したように、本発明に係る車両用空調装置は、例えば自動車の車室内を空調する場合に使用することができる。
【符号の説明】
【００６７】
１              車両用空調装置
１１            インテーク部
１１ａ          外気導入口
１１ｂ          内気導入口
１１ｃ          インテークドア
１２            温度調節部
１３            吹出方向切替部
３０            制御装置
３０ａ          エアミックスドア開度検出部（消費熱量検出手段）
３０ｂ          冷凍サイクル作動状態検出部（冷凍サイクル作動状態検出手段）
３１            外気温度センサ
３２            内気温度センサ
３３            日射量センサ
３４            冷却水温センサ（供給熱量検出手段）
４０            乗員センサ
４１            車速センサ
Ｇ              フロントウインドガラス（窓ガラス）
【図１】
2018144814.tif 000003
【図２】
2018144814.tif 000004
【図３】
2018144814.tif 000005
【図４】
2018144814.tif 000006
【図５】
2018144814.tif 000007